(57)【要約】【課題】人体の腕部に、容易かつ迅速に装着可能なアームガードを提供する。【解決手段】エルボ保護体１と、人体の上腕部に巻き付けられる装着用のベルト部材２と、ベルト部材２を挿通させて折り返すためのリング部材３とを、備えたアームガードであって、ベルト部材２は、帯状のベルト本体20と、ベルト本体20の先端縁20ｄから所定離間寸法Ｌをもって形成された基準縫着部80によってベルト本体20に縫着される布片状部材21と、を有し、布片状部材21は、基準縫着部80からベルト本体20の基端縁20ｅ側へ突出する延伸小片部60を有し、延伸小片部60がリング部材３に当接して、又は、ベルト本体20と延伸小片部60との間にリング部材３が挟み込み状となって、ベルト部材２がリング部材３から抜かれないベルト抜け阻止状態となるように構成した。【選択図】図３
2020007677.tif 000002
【特許請求の範囲】
【請求項１】
エルボ保護体（１）と、人体の上腕部（Ｊ）に巻き付けられる装着用のベルト部材（２）と、上記ベルト部材（２）を挿通させて折り返すためのリング部材（３）とを、備えたアームガードに於て、
上記ベルト部材（２）は、帯状のベルト本体（20）と、該ベルト本体（20）の先端縁（20ｄ）から所定離間寸法（Ｌ）をもって形成された基準縫着部（80）によって上記ベルト本体（20）に縫着される布片状部材（21）と、を有し、該布片状部材（21）は、上記基準縫着部（80）から上記ベルト本体（20）の基端縁（20ｅ）側へ突出する延伸小片部（60）を有し、
上記延伸小片部（60）が上記リング部材（３）に当接して、又は、上記ベルト本体（20）と上記延伸小片部（60）との間に上記リング部材（３）が挟み込み状となって、上記ベルト部材（２）が上記リング部材（３）から抜かれないベルト抜け阻止状態となるように構成したことを特徴とするアームガード。
【請求項２】
上記延伸小片部（60）が上記基準縫着部（80）から突出する所定突出寸法（Ｅ）を、６ｍｍ以上２５ｍｍ以下に設定した請求項１記載のアームガード。
【請求項３】
上記ベルト本体（20）は、一方面（20ｆ）に、面状ファスナ雌部を有し、
上記布片状部材（21）は、上記面状ファスナ雌部と係合・分離自在な面状ファスナ雄部が一方面（61ｆ）に形成された面状ファスナの雄材（61）から成り、
上記延伸小片部（60）は、上記雄材（61）を折返して形成した筒状部（61ｇ）をもって構成した請求項１記載のアームガード。
【請求項４】
上記ベルト本体（20）は、一方面（20ｆ）に、面状ファスナ雌部を有し、
上記布片状部材（21）は、上記面状ファスナ雌部と係合・分離自在な面状ファスナ雄部が一方面（61ｆ）に形成された面状ファスナの雄材（61）と、該雄材（61）の他方面に縫着される厚肉片材（62）と、を備え、
上記延伸小片部（60）は、上記雄材（61）と上記厚肉片材（62）とをもって構成した請求項１記載のアームガード。
【発明の詳細な説明】
【技術分野】
【０００１】
本発明は、アームガードに関する。
【背景技術】
【０００２】
従来、野球やソフトボール等の打者の肘を保護するためのアームガードは、図15に示すように、人体の肘部を保護するためのエルボ保護体91と、人体の上腕部に巻き付けられる装着用のベルト部材92と、ベルト部材92を挿通させて折り返すためのリング部材93と、を備えたものがあった（例えば、特許文献１参照）。
【先行技術文献】
【特許文献】
【０００３】
【特許文献１】特開２０１７−１７６６６５号公報
【発明の概要】
【発明が解決しようとする課題】
【０００４】
しかし、従来のアームガードは、一人（片手）で装着する際に、図15（Ａ）に示すように、装着前の準備状態として、ベルト部材92を、リング部材93に挿通させて、ベルト部材92とエルボ保護体91とで閉じられた（包囲される）装着用空間部Ｋを形成する。その後、人体の腕部を、その装着用空間部Ｋに挿通させて、エルボ保護体91を、人体の肘部乃至その近傍の装着位置に配設する。しかし、装着位置に配設する際に、図15（Ｂ）に示すように、エルボ保護体91とベルト部材92とが相対的に離間する方向（矢印Ｙ１参照）に、不要な力が作用すると、ベルト部材92が引っ張れて（矢印Ｙ２参照）、図15（Ｃ）に示すように、ベルト先端部92ａがリング部材93から抜けてしまい、一人での装着が困難になるという問題があった。さらに、再び、図15（Ａ）に示すような装着用空間部Ｋを形成するために、ベルト部材92をリング部材93に挿通させる必要があるため、装着に手間と時間がかかるといった問題があった。
【０００５】
そこで、本発明は、人体の腕部に、容易かつ迅速に装着可能なアームガードの提供を目的とする。
【課題を解決するための手段】
【０００６】
本発明のアームガードは、エルボ保護体と、人体の上腕部に巻き付けられる装着用のベルト部材と、上記ベルト部材を挿通させて折り返すためのリング部材とを、備えたアームガードに於て、上記ベルト部材は、帯状のベルト本体と、該ベルト本体の先端縁から所定離間寸法をもって形成された基準縫着部によって上記ベルト本体に縫着される布片状部材と、を有し、該布片状部材は、上記基準縫着部から上記ベルト本体の基端縁側へ突出する延伸小片部を有し、上記延伸小片部が上記リング部材に当接して、又は、上記ベルト本体と上記延伸小片部との間に上記リング部材が挟み込み状となって、上記ベルト部材が上記リング部材から抜かれないベルト抜け阻止状態となるように構成したものである。
また、上記延伸小片部が上記基準縫着部から突出する所定突出寸法を、６ｍｍ以上２５ｍｍ以下に設定したものである。
【０００７】
また、上記ベルト本体は、一方面に、面状ファスナ雌部を有し、上記布片状部材は、上記面状ファスナ雌部と係合・分離自在な面状ファスナ雄部が一方面に形成された面状ファスナの雄材から成り、上記延伸小片部は、上記雄材を折返して形成した筒状部をもって構成したものである。
また、上記ベルト本体は、一方面に、面状ファスナ雌部を有し、上記布片状部材は、上記面状ファスナ雌部と係合・分離自在な面状ファスナ雄部が一方面に形成された面状ファスナの雄材と、該雄材の他方面に縫着される厚肉片材と、を備え、上記延伸小片部は、上記雄材と上記厚肉片材とをもって構成したものである。
【発明の効果】
【０００８】
本発明によれば、装着予定者が意図しない力（不要な力）がベルト部材に作用しても、リング部材からベルト部材が抜けるのを防止できる。つまり、エルボ保護体とベルト部材で装着用空間部を形成する装着準備状態を保持でき、子供や腕の太い人等様々な人が容易かつ迅速にひとりで（片手で）装着できる。ベルト抜け防止の構造が簡素で、容易（安価）に製造できる。また、ベルト抜け防止の構造が軽量で、装着者に違和感や不快感を与えることが無い。
【図面の簡単な説明】
【０００９】
【図１】本発明の実施の一形態を示す斜視図である。
【図２】正面図である。
【図３】図２のＸ−Ｘ断面図であって、装着準備状態の断面図である。
【図４】ベルト部材の分解断面図である。
【図５】ベルト当接状態の一例を示す断面図である。
【図６】ベルト挟み込み状態の一例を示す断面図である。
【図７】装着状態の断面図である。
【図８】他の実施形態を示す要部断面図である。
【図９】ベルト部材の他例を示す分解断面図である。
【図１０】ベルト当接状態の他例を示す断面図である。
【図１１】ベルト挟み込み状態の他例を示す断面図である。
【図１２】別の実施形態を示す要部断面図である。
【図１３】ベルト部材の別例を示す分解断面図である。
【図１４】ベルト挟み込み状態の別例を示す断面図である。
【図１５】従来技術を示す断面図であって、（Ａ）は装着準備状態の断面図であり、（Ｂ）はベルト抜け途中状態の断面図であり、（Ｃ）はベルト抜け状態の断面図である。
【発明を実施するための形態】
【００１０】
以下、図示の実施形態に基づき本発明を詳説する。
本発明のアームガードは、図１乃至図３に示すように、人体の肘部を保護するためのエルボ保護体１と、人体の上腕部Ｊに巻き付けて取着される装着用のベルト部材２と、ベルト部材２を挿通させて折り返すための（折返し用）リング部材３と、ベルト部材２の装着長さを調節するためのベルト長調節部材４と、を備えている。例えば、野球やソフトボール等の球技の打者の上腕部Ｊに装着され肘部を保護するものである。
【００１１】
エルボ保護体１は、人体側に配設される（人体に当接する）横断面形状が弯曲円弧状の第１保護体11と、第１保護体11の外面側に配設され（縫着され）横断面形状が弯曲円弧状の第２保護体12と、エルボ保護体１の一方の側部とリング部材３を連結するための第１折返し耳片13と、エルボ保護体１の他方の側部とベルト長調節部材４を連結するための第２折り返し耳片14と、を有している。
【００１２】
図３と図４に示すように、ベルト部材２は、伸縮性（弾性）を有する帯状のベルト本体20と、ベルト本体20の先端部に縫着される布片状部材21と、を有している。
ベルト本体20は、一方面20ｆに、面状ファスナ雌部が形成されたゴム帯材である。
布片状部材21は、ベルト本体20よりも幅狭の矩形状であって、一方面61ｆに、ベルト本体20の面状ファスナ雌部と係合・分離自在な面状ファスナ雄部が形成された面状ファスナの雄材61である。
【００１３】
雄材61は、布状であって、ベルト本体20の一方面20ｆに縫着されている。
雄材61は、長手方向一端縁61ｄが、ベルト本体20の先端縁20ｄと、ベルト長手方向の同位置乃至その近傍に配設され、ベルト本体20の先端縁20ｄと共にベルト部材２の先端縁２ｄを形成している。
【００１４】
雄材61の長手方向一端縁61ｄ側は、先端縫着部81によって、縫着されている。
雄材61の長手方向他端縁61ｅ側は、ベルト本体20の先端縁20ｄから所定離間寸法Ｌをもって形成（縫製）された基準縫着部80によって、縫着されている。
先端縫着部81及び基準縫着部80は、ベルト本体20の幅方向に沿って縫製した部位である。
【００１５】
さらに、布片状部材21は、基準縫着部80からベルト本体20の基端縁20ｅ側へ突出する延伸小片部60を有している。
延伸小片部60は、雄材61の他端縁61ｅを折り返して、その折返した他端縁61ｅを基準縫着部80にてベルト本体20に縫着して形成した筒状部61ｇをもって構成している。
筒状部61ｇは、ベルト本体20と係合・分離自在な（ベルト本体20の一方面20ｆに対して揺動自在な）自由端部位とも言える。雄材61は、筒状部61ｇを除く残部が、ベルト本体20に固着している。
【００１６】
ここで、アームガードの構成と作用を、使用方法と合わせて説明する。
図３に示すように、ベルト部材２の先端部２ａをリング部材３に挿通させて、ベルト部材２と、エルボ保護体１の内面と、で閉じられた（横断面閉環状に包囲された）装着用空間部Ｋを形成した装着準備状態とする。
図示省略するが、装着準備状態とするために、ベルト部材２の先端部２ａをリング部材３に挿通させる場合は、リング部材３にベルト部材２の先端縁２ｄを挿通させ、挿通した先端縁２ｄを、所定操作力をもって引っ張ることで、筒状部61ｇにおいて基準縫着部80側に形成される傾斜状のガイド部60ｅにリング部材３の中心孔の内周面が摺接しつつ押圧して、筒状部61ｇを扁平筒状に弾性変形させることで、挿通可能である。
【００１７】
そして、人体の腕部を、装着用空間部Ｋ（エルボ保護体１とベルト部材２の間）に、挿通させ、エルボ保護体１を、人体の肘部乃至その近傍の装着位置に配設する。
ここで、装置位置に配設する際に、図５に示すように、エルボ保護体１とベルト部材２とが相対的に離間する方向（矢印Ｚ１参照）に、不要な力が作用して、ベルト部材２の先端部２ａ側が引っ張れると（矢印Ｚ２参照）、延伸小片部60（筒状部61ｇ）がリング部材３に当接したベルト当接状態となる。つまり、ベルト部材２の先端部２ａがリング部材３から抜かれないベルト抜け阻止状態となる。したがって、装着用空間部Ｋが形成された装着準備状態が保持される。
【００１８】
或いは、装着位置に配設する際に、装着予定者が、意図的に、ベルト部材２の長手方向中間部を、エルボ保護体１から離間する方向に引っ張ってベルト抜け阻止状態にすることで、図３に示すような装着準備状態（ベルト部材２がリング部材３を挿通して大きく折り返された装着準備状態）に比べて、装着用空間部Ｋを広くでき、人体の腕部を容易に挿通させることが可能となる。
【００１９】
また、ベルト抜け阻止状態は、図６に示すように、ベルト本体20の一方面20ｆと、延伸小片部60との間に、リング部材３の環状部が差込まれた、ベルト挟み込み状態の場合もある。
つまり、ベルト抜け阻止状態は、ベルト部材２の先端部２ａに形成したカエリ型抜け止め作用を成す延伸小片部60に、リング部材３の環状部が、引っ掛かって（係止して）、ベルト部材２の先端部２ａがリング部材３から抜かれない状態とも言える。
【００２０】
そして、図７に示すように、リング部材３を挿通したベルト部材２の先端部２ａ（雄材61）の面状ファスナ雄部と、ベルト本体20の（長手方向中間部の）面状ファスナ雌部と、を係合させて、装着用空間部Ｋを挿通した人体の上腕部Ｊに、ベルト部材２を巻き付けた装着状態となる（装着作業が完了する）。
【００２１】
ここで、延伸小片部60が基準縫着部80から突出する所定突出寸法Ｅ（図３と図４参照）は、６ｍｍ以上２５ｍｍ以下に設定している。より好ましくは、６ｍｍ以上１５ｍｍ以下とする。下限値未満であると、リング部材３に引っ掛からず、ベルト抜けが発生する虞れがある。上限値を越えると、ベルト部材２の先端部２ａ側のベルト長さが無駄になる。また、装着準備を行う際に、ベルト部材２の先端部２ａをリング部材３に挿通させるのに手間がかかる。
【００２２】
また、所定離間寸法Ｌは、２５ｍｍ以上７５ｍｍ以下が好ましい。下限値未満であると、面状ファスナ雄部の面積が狭くなって、十分な係合力（装着性）が得られなくなる虞れがある。また、上限値を越えると、ベルト部材２の先端部２ａ側のベルト長さが無駄になる。また、装着準備を行う際に、ベルト部材２の先端部２ａをリング部材３に挿通させる際に手間と時間がかかる。
【００２３】
また、ベルト部材２は、基端部２ｂ側が、ベルト長調節部材４に取着されている。図例においては、ベルト長調節部材４は、２つの環状部材40，40にて構成している。ベルト長調節部材４によって、エルボ保護体１の左右一方側から左右他方側までのベルト部材２の長さ寸法を調節可能で、様々な体格（上腕部Ｊの太さ）に対応できる。
【００２４】
また、第１保護体11と第２保護体12は、自由状態（非装着状態）で、全体がアーチ型の弯曲形状に形成されている。表て生地と、樹脂製の弯曲板状芯材と、裏生地と、を積層状に配設し、外周縁の全周に渡って縁巻部材を縫製（縫着）して一体化している。
【００２５】
次に、図８乃至図11に示す他の実施形態について説明する。
布片状部材21を、面状ファスナ雄部が一方面61ｆに形成された面状ファスナの雄材61と、雄材61の他方面(側)に縫着される厚肉片材62と、で構成している。
【００２６】
厚肉片材62は、雄材61よりもベルト長手方向寸法が小さく、かつ、雄材61のベルト幅方向寸法と同等に形成された矩形状であって、雄材61の面状ファスナ雄部（雄毛）が突設している基盤部（基布部）61ｓの第１の厚さ寸法ｔよりも大きい第２の厚さ寸法Ｔをもって形成されている。つまり、厚肉片材62の「厚肉」とは、基盤部61ｓよりも厚いことを意味する。
厚肉片材62の材質としては、人工皮革や天然皮革、厚手の布や生地等の布状であって、ベルト装着状態で人体の上腕部Ｊに沿って変形しやすい柔軟性を有するものである。
【００２７】
雄材61及び厚肉片材62は、ベルト本体20の一方面20ｆに縫着されている。
雄材61は、長手方向一端縁61ｄが、ベルト本体20の先端縁20ｄと、ベルト長手方向の同位置乃至その近傍に配設されている。
【００２８】
雄材61の長手方向一端縁61ｄ側は、先端縫着部81によって、縫着されている。
雄材61の長手方向他端縁61ｅ側及び厚肉片材62の長手方向一端部62ｄ側は、基準縫着部80によって、ベルト本体20に縫着されている。
【００２９】
雄材61において基準縫着部80からベルト本体20の基端縁20ｅ側へ突出している部位は、厚肉片材62に対して接近・離間可能（揺動自在）な自由端部位である。
また、厚肉片材62において基準縫着部80からベルト本体20の基端縁20ｅ側へ突出している部位は、ベルト本体20に対して接近・離間可能（揺動自在）な自由端部位である。
そして、雄材61の上記自由端部位と、厚肉片材62の上記自由端部位と、によって、延伸小片部60を構成している。雄材61及び厚肉片材62は、上記自由端部位を除く残部が、ベルト本体20に固着している。
【００３０】
図10に示すように、延伸小片部60において、雄材61と厚肉片材62の厚さによるベルト本体20との段差（段差端面）が、リング部材３に当接したベルト当接状態となって、ベルト部材２の先端部２ａがリング部材３から抜かれないベルト抜け阻止状態となる。
或いは、図11に示すように、ベルト本体20の一方面20ｆと厚肉片材62の他方面との間に、リング部材３の環状部が差込まれたベルト挟み込み状態となって、ベルト抜け阻止状態となる。
【００３１】
なお、図示省略するが、装着準備状態にするためにベルト部材２の先端部２ａをリング部材３に挿通させる場合や、意図的に、ベルト部材２の先端部２ａをリング部材３から抜く場合は、延伸小片部60（自由端部位）が開かないように手指で押さえつつ、ベルト部材２の先端部２ａの姿勢を、リング部材３の中心孔の軸心に平行状となるようにして、リング部材３の中心孔へ接近させれば、抜き差し自在となる。他の構成及び作用効果は上述の実施形態と同様である。
【００３２】
次に、図12乃至図14に示す別の実施形態について説明する。
布片状部材21を、面状ファスナ雄部が一方面61ｆに形成された面状ファスナの雄材61で構成している。
【００３３】
雄材61の長手方向一端縁61ｄ側は、先端縫着部81によって、ベルト本体20に縫着されている。
雄材61の長手方向他端縁61ｅ側は、基準縫着部80によって、ベルト本体20に縫着されている。
【００３４】
雄材61において基準縫着部80からベルト本体20の基端縁20ｅ側へ突出している部位は、ベルト本体20に対して接近・離間可能（揺動自在）な自由端部位である。
雄材61の上記自由端部位にて。延伸小片部60を構成している。雄材61は、上記自由端部位を除く残部が、ベルト本体20に固着している。
【００３５】
延伸小片部60（雄材61の自由端部位）は、ベルト本体20の一方面20ｆから離間するように傾斜起立状のクセづけが付与されているのが好ましい。クセづけを付与する方法としては、基準縫着部80による縫着引き込み力によるクセづけ、加熱によるクセづけ、塑性変形によるクセづけ等自由である。なお、延伸小片部60のクセづけを行わずベルト本体20の一方面20ｆに平行面状とするも良い。
【００３６】
そして、図14に示すように、延伸小片部60と、ベルト本体20の一方面20ｆとの間に、リング部材３の環状部が差込まれたベルト挟み込み状態をもって、ベルト抜け阻止状態となる。
なお、図示省略するが、装着準備状態にするためにベルト部材２の先端部２ａをリング部材３に挿通させる場合や、意図的に、ベルト部材２の先端部２ａをリング部材３から抜く場合は、延伸小片部60が開かないように手指で押さえつつ、ベルト部材２の先端部２ａをリング部材３の中心孔へ接近させれば、抜き差し自在となる。他の構成及び作用効果は上述の実施形態と同様である。
【００３７】
なお、本発明は設計変更可能であって、図３や図８の実施形態において、延伸小片部60を、（図12の実施形態のように）ベルト本体20の一方面20ｆから離間するように傾斜起立状にクセづけするも良い。ベルト長調節部材４として図示省略するがコキ部材を用いるも良い。また、ベルト部材２の基端部２ｂ側は、エルボ保護体１と連結されていれば良い。つまり、ベルト基端部２ｂは、ベルト長の調節が不可能な連結部材を介して、或いは、直接縫着して、エルボ保護体１に連結するも良い。エルボ保護体１の表て生地と裏生地と縁巻部材の材質は、合成樹脂製や合成皮革等、自由である。また、芯材の材質は、発泡樹脂や硬質樹脂等自由である。
なお、図３と図４、図８と図９、図12と図13に於て、主な縫着（縫製）部位を太い一点鎖線で簡略して図示している。
【００３８】
以上のように、本発明は、エルボ保護体１と、人体の上腕部Ｊに巻き付けられる装着用のベルト部材２と、上記ベルト部材２を挿通させて折り返すためのリング部材３とを、備えたアームガードに於て、上記ベルト部材２は、帯状のベルト本体20と、該ベルト本体20の先端縁20ｄから所定離間寸法Ｌをもって形成された基準縫着部80によって上記ベルト本体20に縫着される布片状部材21と、を有し、該布片状部材21は、上記基準縫着部80から上記ベルト本体20の基端縁20ｅ側へ突出する延伸小片部60を有し、上記延伸小片部60が上記リング部材３に当接して、又は、上記ベルト本体20と上記延伸小片部60との間に上記リング部材３が挟み込み状となって、上記ベルト部材２が上記リング部材３から抜かれないベルト抜け阻止状態となるように構成したので、ベルト部材２に意図しない力（不要な力）が作用しても、リング部材３からベルト部材２が抜けるのを防止できる。つまり、装着用空間部Ｋを形成する装着準備状態を保持でき、子供や腕の太い人等様々な人が容易かつ迅速にひとりで（片手で）装着できる。ベルト抜け防止の構造が簡素で、容易（安価）に製造できる。また、ベルト抜け防止の構造が軽量かつ柔軟で、装着者に違和感や不快感を与えることが無い。
【００３９】
また、上記延伸小片部60が上記基準縫着部80から突出する所定突出寸法Ｅを、６ｍｍ以上２５ｍｍ以下に設定したので、装着準備を行う際に、ベルト部材２の先端部２ａをリング部材３に容易かつ迅速に挿通させることを可能としながらも、確実にベルト抜け止め作用を得ることができる。ベルト部材２の素材を無駄なく効率良く使用でき、製造コストを抑えながらも、十分な抜け止め作用が得られる。
【００４０】
また、上記ベルト本体20は、一方面20ｆに、面状ファスナ雌部を有し、上記布片状部材21は、上記面状ファスナ雌部と係合・分離自在な面状ファスナ雄部が一方面61ｆに形成された面状ファスナの雄材61から成り、上記延伸小片部60は、上記雄材61を折返して形成した筒状部61ｇをもって構成したので、部品点数の少ない簡素な構成でありながらも、ベルト本体20と延伸小片部60との（リング引っ掛かり用）段差部を大きく形成でき、確実にリング部材３に当接させて抜け止め作用を得ることができる。ベルト部材２をリング部材３から意図的に抜き差しする作業を容易に行うことができると共に、抜け止め作用を確実に得ることができる。装着状態（面状ファスナ係合状態）で筒状部61ｇが扁平状に潰れて、装着者へ違和感や不快感を与えずにベルト部材２を装着できる。
【００４１】
また、上記ベルト本体20は、一方面20ｆに、面状ファスナ雌部を有し、上記布片状部材21は、上記面状ファスナ雌部と係合・分離自在な面状ファスナ雄部が一方面61ｆに形成された面状ファスナの雄材61と、該雄材61の他方面に縫着される厚肉片材62と、を備え、上記延伸小片部60は、上記雄材61と上記厚肉片材62とをもって構成したので、縫製作業（製造）が容易にできる。ベルト本体20と延伸小片部60との（リング引っ掛かり用）段差部を、所定の寸法に形成しやすく、品質が安定して、抜け止め作用を確実に得ることができる。ベルト部材２をリング部材３から意図的に抜き差しする作業を容易に行うことができる。装着者へ違和感や不快感を与えずにベルト部材２を装着できる。
【符号の説明】
【００４２】
１  エルボ保護体
２  ベルト部材
３  リング部材
20  ベルト本体
20ｄ  先端縁
20ｅ  基端縁
20ｆ  一方面
21  布片状部材
60  延伸小片部
61  雄材
61ｆ  一方面
61ｇ  筒状部
62  厚肉片材
80  基準縫着部
Ｅ  所定突出寸法
Ｊ  上腕部
Ｌ  所定離間寸法
【図１】
2020007677.tif 000003
【図２】
2020007677.tif 000004
【図３】
2020007677.tif 000005
【図４】
2020007677.tif 000006
【図５】
2020007677.tif 000007
【図６】
2020007677.tif 000008
【図７】
2020007677.tif 000009
【図８】
2020007677.tif 000010
【図９】
2020007677.tif 000011
【図１０】
2020007677.tif 000012
【図１１】
2020007677.tif 000013
【図１２】
2020007677.tif 000014
【図１３】
2020007677.tif 000015
【図１４】
2020007677.tif 000016
【図１５】
2020007677.tif 000017